(57)【要約】      （修正有）【課題】自転車型トレーニングマシン使用者の両足の筋力を高めるという目的のみならず、使用者が運動を単調に感じることなく、又、興味を失うことなく、マッサージ的な全身運動効果を有する自転車型トレーニングマシーンを提供する。【解決手段】自転車型トレーニングマシンは、ハンドル支柱２１とサドル支柱２２がそれぞれ振り子ロッド２０の両側に取り付けられている。従って、使用者がペダルＢを踏むと、連結ロッド４０が上下に駆動してサドル支柱下端を動かし、振り子ロッドのもう一方の端に固定されたハンドル支柱もまた前後に振動する。これにより、使用者の両足の筋力を高め、更に、手及び体全体もまた震動によって、マッサージ的な全身運動効果が得られる。【選択図】図１
0003119134.tif 000002
【実用新案登録請求の範囲】
【請求項１】
ベース、その上に設置されたハンドル支柱、サドル支柱、ハンドル、サドル、ボトムブラケットシェル、クランク、ペダルを含む構成において、
ベースの先端に上に向かって第一支柱が設置されていて、その上端には前後に振れるピストン状にハンドル支柱が取り付けられていて、もう一方の先端に上に向かって第二支柱が設置されていて、その上端には受動ベルトホイールが取り付けられていて、第一支柱と第二支柱の間にはアームロッドによって、ボトムブラケットシェルが取り付けられて、ボトムブラケットシェルの部分には、左右のクランクと同軸の主動ベルトホイールがあって、主動ベルトホイールと受動ベルトホイールの間には伝動ベルトが設置されていて、両ホイールは同時に回転するようになっていて、受動ベルトホイールの回転軸の部分には傾き部分があって、ハンドル支柱とサドル支柱はそれぞれ振り子ロッドの前後端に固定され、サドル支柱の下端の位置には駆動台があり、その駆動台と受動ベルトホイールの回転軸の傾き部分の間には連結ロッドがあることにより、使用者がペダルを踏むと、その主動ベルトホイールの駆動が受動ベルトホイールに伝わり、受動ベルトホイールの回転軸の傾き部分の連結ロッドによって、上下動作をして、サドル支柱を動かし、さらに、サドル支柱、サドル、振り子ロッド、ハンドル支柱、ハンドルが同時に連続的な上下、前後の振動や震動を発生させるという特長を持つ、自転車型トレーニングマシン。
【請求項２】
振り子ロッドの両側にベースの位置からそれぞれ伸びて、支えるようになった二つのロッドが取り付けられた、請求項１に記載の自転車型トレーニングマシン。
【請求項３】
ベース、その上に設置されたハンドル支柱、サドル支柱、ハンドル、サドル、ボトムブラケットシェル、クランク、ペダルを含む構成において、
ベースの先端に上に向かって第一支柱が設置されていて、その上端には前後に振れるピストン状にハンドル支柱が取り付けられていて、もう一方の先端に上に向かって第二支柱が設置されていて、その上端には受動ベルトホイールが取り付けられていて、第一支柱と第二支柱の間にはアームロッドによって、ボトムブラケットシェルが取り付けられて、ボトムブラケットシェルの部分には、左右のクランクと同軸の主動ベルトホイールがあって、主動ベルトホイールと受動ベルトホイールの間には伝動ベルトが設置されていて、両ホイールは同時に回転するようになっていて、受動ベルトホイールの回転軸の部分には傾き部分があって、ハンドル支柱とサドル支柱はそれぞれ振り子ロッドの前後端に固定され、サドル支柱の下端の位置には固定耳と駆動台があり、その駆動台と受動ベルトホイールの回転軸の傾き部分には、それぞれ互いに抵触するホイールがあり、また、ベースには制限ロッドがあって、その制限ロッドの上端は、サドル支柱下端にある固定耳を貫通して、サスペンションパーツが取り付けられることにより、使用者がペダルを踏むと、その主動ベルトホイールの駆動が受動ベルトホイールに伝わり、受動ベルトホイールの回転軸の傾き部分のホイールが上下動作をして、サドル支柱下端のホイールを動かし、さらに、サドル支柱、サドル、振り子ロッド、ハンドル支柱、ハンドルが同時に連続的な上下、前後の振動や震動を発生させるという特長を持つ、自転車型トレーニングマシン。
【請求項４】
振り子ロッドの両側にベースの位置からそれぞれ伸びて、支えるようになった二つのロッドが取り付けられた、請求項３に記載の自転車型トレーニングマシン。
【考案の詳細な説明】
【技術分野】
【０００１】
本考案は自転車型トレーニングマシンに関する。本考案のトレーニングマシンは、構造がシンプルで、使用上簡単且つ便利で、トレーニングと同時に、両足の筋力を高めて、全身のマッサージをする効果もある。したがって、極めて実用的、理想的、進歩的であり、これまでにない斬新な改良型トレーニングマシンである。
【背景技術】
【０００２】
従来の室内トレーニングマシンの構造と操作は、トレーニングを行う者が両足でペダルをこいで、自転車をこぐのと同様に直接両足の筋力を高めるという目的を達成するものである。当然、その自転車型トレーニングマシンは、摩擦力を調整する調節装置があるが、使用者自身もその摩擦力を調整して、両足の踏み込みを確実に筋力を高める目的及び効果があるようにしなければならない。
自転車型トレーニングマシンの操作は、確かに必要時に使用することにより効果及び目的が達せられることは否定できない。しかしながら、それは単純に、両足でこぐという操作方式及び運動形態であり、使用者が単調に感じ、興味がなくなるのは明らかである。ひいては、期待された運動効果が得られないことも考えられる。
【０００３】
そこで、業者は、自転車型トレーニングマシンン改良を加え、左右のハンドルを単独に設置し、さらに、左右の連結ロッドセットをそれぞれ左右のハンドル及びボトムブラケットシェル（Bottom Bracket Shell）に連結させた。使用者がペダルを踏むと、左右のハンドルがそれにつれて前後に振れるようになっているので、両足の筋力を高める目的を達成する外、両手もまた前伸、後屈の動作をする過程において運動、筋力アップの効果が望める。
【０００４】
改良式の自転車型トレーニングマシンは、同時に手と足を運動させることが可能なので、従来のトレーニングマシンより、確実に理想的な運動効果が得られる。しかしながら、手と足が直接屈折、伸長の効果が得られる以外は、人体のその他の部位は依然として運動効果が得られないという欠点がある。
【考案の開示】
【考案が解決しようとする課題】
【０００５】
本考案は、自転車型トレーニングマシン使用者の両足の筋力を高めるという目的のみならず、使用者が運動を単調に感じることなく、又、興味を失うことなく、マッサージ的な全身運動効果を有する自転車型トレーニングマシンを提供することを課題としている。
【課題を解決するための手段】
【０００６】
請求項１に記載の考案は、ベース、その上に設置されたハンドル支柱、サドル支柱、ハンドル、サドル、ボトムブラケットシェル、クランク、ペダルを含む構成において、
ベースの先端に上に向かって第一支柱が設置されていて、その上端には前後に振れるピストン状にハンドル支柱が取り付けられていて、もう一方の先端に上に向かって第二支柱が設置されていて、その上端には受動ベルトホイールが取り付けられていて、第一支柱と第二支柱の間にはアームロッドによって、ボトムブラケットシェルが取り付けられて、ボトムブラケットシェルの部分には、左右のクランクと同軸の主動ベルトホイールがあって、主動ベルトホイールと受動ベルトホイールの間には伝動ベルトが設置されていて、両ホイールは同時に回転するようになっていて、受動ベルトホイールの回転軸の部分には傾き部分があって、ハンドル支柱とサドル支柱はそれぞれ振り子ロッドの前後端に固定され、サドル支柱の下端の位置には駆動台があり、その駆動台と受動ベルトホイールの回転軸の傾き部分の間には連結ロッドがあることにより、使用者がペダルを踏むと、その主動ベルトホイールの駆動が受動ベルトホイールに伝わり、受動ベルトホイールの回転軸の傾き部分の連結ロッドによって、上下動作をして、サドル支柱を動かし、さらに、サドル支柱、サドル、振り子ロッド、ハンドル支柱、ハンドルが同時に連続的な上下、前後の振動や震動を発生させるという特長を持つ、自転車型トレーニングマシンを特徴とした。
【０００７】
請求項２に記載の考案は、振り子ロッドの両側にベースの位置からそれぞれ伸びて、支えるようになった二つのロッドが取り付けられた、請求項１に記載の自転車型トレーニングマシンを特徴とした。
【０００８】
請求項３に記載の考案は、ベース、その上に設置されたハンドル支柱、サドル支柱、ハンドル、サドル、ボトムブラケットシェル、クランク、ペダルを含む構成において、
ベースの先端に上に向かって第一支柱が設置されていて、その上端には前後に振れるピストン状にハンドル支柱が取り付けられていて、もう一方の先端に上に向かって第二支柱が設置されていて、その上端には受動ベルトホイールが取り付けられていて、第一支柱と第二支柱の間にはアームロッドによって、ボトムブラケットシェルが取り付けられて、ボトムブラケットシェルの部分には、左右のクランクと同軸の主動ベルトホイールがあって、主動ベルトホイールと受動ベルトホイールの間には伝動ベルトが設置されていて、両ホイールは同時に回転するようになっていて、受動ベルトホイールの回転軸の部分には傾き部分があって、ハンドル支柱とサドル支柱はそれぞれ振り子ロッドの前後端に固定され、サドル支柱の下端の位置には固定耳と駆動台があり、その駆動台と受動ベルトホイールの回転軸の傾き部分には、それぞれ互いに抵触するホイールがあり、また、ベースには制限ロッドがあって、その制限ロッドの上端は、サドル支柱下端にある固定耳を貫通して、サスペンションパーツが取り付けられることにより、使用者がペダルを踏むと、その主動ベルトホイールの駆動が受動ベルトホイールに伝わり、受動ベルトホイールの回転軸の傾き部分のホイールが上下動作をして、サドル支柱下端のホイールを動かし、さらに、サドル支柱、サドル、振り子ロッド、ハンドル支柱、ハンドルが同時に連続的な上下、前後の振動や震動を発生させるという特長を持つ、自転車型トレーニングマシンを特徴とした。
【０００９】
請求項４に記載の考案は、振り子ロッドの両側にベースの位置からそれぞれ伸びて、支えるようになった二つのロッドが取り付けられた、請求項３に記載の自転車型トレーニングマシンを特徴とした。
【考案の効果】
【００１０】
本考案の自転車型トレーニングマシンは、サドルの支柱が、使用者がペダルを踏むことによって、上下に動くようになっている。そして、そのサドルの支柱が一体に固定されているハンドルの支柱が下端の固定栓を支点として、同時に前後に振れるようになっている。したがって、使用者は両足の筋力を高めるという目的の外、同時に、その手と体全体が、サドルとペダルが交互に上下、前後に振れる過程において、連動して振動動作を生じさせ、マッサージ的な全身運動効果を発揮するという効果がある。
【００１１】
また、本考案の自転車型トレーニングマシンは、サドルの支柱が受動ベルトホイールの回転軸の連動ロッドに連結して駆動するようになっている。したがって、使用者が前傾の姿勢をとってペダルを踏む時、サドルが持ち上がり、ハンドルが前傾して空回りするといった現象が発生しない。さらに、両足の筋力及び全身振動マッサージといった理想とする効果が確実に得られるという効果がある。
【００１２】
さらに、本考案の自転車型トレーニングマシンは、受動ベルトホイール回転軸の傾斜部分及びサドルの支柱下端の駆動台の部分はそれぞれ互いに接触するホイールがある。そして、ベース及びサドルの支柱の間に制限ロッドがある。さらに、制限ロッドにはサスペンションパーツがあって、使用者が自分の体重を両方のホイールにかけて、ペダルを踏むと同様に両足の筋力及び全身振動マッサージといった理想とする効果が得られる。特に、そのサスペンションパーツは二つのホイールを随時接触させるので、確実に使用の際の使い心地を浴するという効果がある。
【００１３】
そして、本考案の自転車型トレーニングマシンは、シンプルで、使用上、簡単且つ便利で、使用者が同時に両足の筋力及びマッサージ効果のある全身運動が期待できる。したがって、極めて実用的、理想的、進歩的であり、これまでにない斬新な改良型トレーニングマシンである。
【考案を実施するための最良の形態】
【００１４】
図１、図２、図３、図４を参照いただきたい。本考案の自転車型トレーニングマシンは、ベース１０、その先端に上に向かって第一支柱１０１が、もう一方の先端に上に向かって第二支柱１０２が設置されている。第一支柱１０１と第二支柱１０２の間にはアームロッド１０３によって、ボトムブラケットシェル１が取り付けられて、クランク２及び主動ベルトホイール３が固定されるようになっている。
【００１５】
振り子ロッド２０は、先端にハンドル支柱２１が、後端にサドル支柱２２が固定されている。そのうち、ハンドル支柱２１の底部は固定栓２１１によって前後に振れるピストン状に、ベース１０の第一支柱１０１上端に取り付けられている（図２を参照いただきたい）。
【００１６】
そして、サドル支柱２２の下端は、駆動台２２１に取り付けられている。受動ベルトホイール３０は、ベース１０の第二支柱の下端に取り付けられて、主動ベルトホイール３の伝動ベルト４に連動して動かされる。その回転軸３０１の一端は、傾き部分３０１１に取り付けられる。
【００１７】
連結ロッド４０は、回転軸３０１の傾き部分３０１１、及び、サドル支柱２２の駆動台２２１の間に連結される。
【００１８】
制限ロッド５０は、ベース１０或いはベースの第二支柱１０２に取り付けられる。その上端は、サドル支柱２２の固定耳２２２を貫通し、サスペンションパーツ６０（スプリングあるいはゴム密閉材）が取り付けられている。
振り子ロッド７０は、ほぼ中間の位置に、上下に振れるピストン状で、ベース１０に固定されている。一端には、締め付けホイール７０１に接触するように伝動ベルト４が取り付けられていて、もう一方の端は、スプリング７０２に引っ張られている。締め付けホイール７０１は弾力性を持ちながら押さえる形で、伝動ベルト４を押さえている。
【００１９】
二つの支えロッド８０は、ベース１０に固定され、振り子ロッド２０の左右両側に沿うように取り付けられている。
【００２０】
図５、図６を参照いただきたい。振り子ロッド２０の先端に固定されたハンドル支柱２１下端は、前後に振れるピストン状になっていて、ベース第一支柱１０１に固定されている。そして、振り子ロッド２０後端に固定されたサドル支柱２２下端は、連結ロッド４０によって、受動ベルトホイール３０の傾き部分３０１１に連結する。
【００２１】
従って、使用者がサドルAに座り、ペダルBを踏むと、主動ベルトホイール３が回転し、その主動ベルトホイール３が動力を伝動ベルト４によって受動ベルトホイール３０、及び、回転軸３０１に伝えると、自然に、連結ロッド４０が直接回転軸３０１の傾き部分３０１１によって動かされ、上下に振れる（図４、図６を参照いただきたい）。
【００２２】
そして、サドル支柱２２、及び、サドルAもまた連動して、連続して上下に振れる。さらに、サドル支柱２２が連続して上下に振れると同時に、サドル支柱２２の位置に対応するハンドル支柱２１もまた、下端の固定栓２１１を支点として連動し、前後に振れ、上端のハンドルCもまた、同時に前後に振れる連続動作が発生する。
【００２３】
このように、使用者は両足でペダルBを踏むことによる足の筋力を高める効果以外に、特に、サドルA及びハンドルCが両足で踏むと同時に、連続性の振動と震動動作が発生し、体全体及び手にマッサージ的なトレーニングを施すことが可能であるため、興味が沸き、使い心地もよいという特長がある。
【００２４】
サドル支柱２２下端、及び、受動ベルトホイール３０の回転軸の傾き部分３０１１は、連結ロッド４０によって連結されているため、使用者が前傾姿勢をとって、ペダルBを踏み、ハンドルCに力をかけても、サドル支柱２２が全く空回りになることがなく、常に、ハンドル支柱２１が連続して振動する動作を保ち続ける。
【００２５】
サドル支柱２２、及び、振り子ロッド２０、ハンドル支柱２１が上下、前後に連続して振動、震動する時、振り子ロッド２０の左右両側は、それぞれ支えロッド８０によって支えられている。したがって、それらの振動や震動動作は安定し、左右にぶれることがない。
【００２６】
図７を参照いただきたい。本考案の他の実施例である。受動ベルトホイール３０の回転軸の傾き部分３０１１と、サドル支柱２２下端の駆動台２２１の位置には、それぞれホイールK、Gが取り付けられ、前述の連結ロッド４０に取って代わっている。使用者がサドルAに座り、両手でハンドルCを持ち、ペダルBを踏む動作を実施する時、その二つのホイールG、Kが使用者自身の体重との関係で、受動ベルトホイール３０の回転軸の傾き部分３０１１にあるホイールKが、受動ベルトホイール３０の回転に伴って、自動的に上下に振動し、さらに、対応するホイールG及びサドル支柱２２が連動して上下に振動する。そして、サドルAとハンドルCもまた、前述のように、自動的に、連続的な振動と震動を発生させて、同時に、両足の筋力を高め、全身を震動でマッサージするという効果が得られる。
【００２７】
当然、第二支柱１０２に設置された制限ロッド５０が、サドル支柱２２の固定耳２２２を貫通し、サスペンションパーツ６０が取り付けられ、駆動台２２１のホイールGが、随時弾力性を持った状態で、対応するホイールKに接触することにより、使用者がペダルBを踏んでトレーニングする時、その二つのホイールG、Kが跳ねて接触することがなく、サドルAとハンドルCが使用者に振動と震動性の動作を連続して提供するため、同様に理想とする効果が発揮される。
【００２８】
このように、本考案の自転車型トレーニングマシンは、従来の室内自転車型トレーニングマシンより、すぐれた機能を持ち、その装置や構造がシンプルである。そして、全体的な動作及び機能は具体的で実用的であるという特長を持つ。
【図面の簡単な説明】
【００２９】
【図１】本考案の実施例の平面図である。
【図２】本考案のベースとハンドルの支柱を結合させた様子を示した平面図である。
【図３】本考案の連結ロッドをサドルの支柱及び受動ベルトホイールの回転軸に連結させた様子を示した平面図である。
【図４】本考案の連結ロッドが上に移動してサドルの支柱を上に移動させる様子を示した平面図である。
【図５】本考案のペダルを踏んでトレーニングする実施例の平面図である。
【図６】本考案の連結ロッドが下に移動してサドルの支柱を下に移動させる様子を示した平面図である。
【図７】本考案のサドルの支柱と受動ベルトホイールの回転軸がそれぞれホイールに設置される状態を示したもう一つの実施例の平面図である。
【符号の説明】
【００３０】
Ａ        サドル
Ｂ        ペダル
Ｃ        ハンドル
Ｇ        ホイール
Ｋ        ホイール
１        ボトムブラケットシェル
２        クランク
３        主動ベルトホイール
４        伝動ベルト
１０      ベース
１０１    第一支柱
１０２    第二支柱
１０３    アームロッド
２０      振り子ロッド
２１      ハンドル支柱
２１１    固定栓
２２      サドル支柱
２２１    駆動台
２２２    固定耳
３０      受動ベルトホイール
３０１    回転軸
３０１１  傾き部分
４０      連結ロッド
５０      制限ロッド
６０      サスペンションパーツ
７０      振り子ロッド
７０１    締め付けホイール
７０２    スプリング
８０      支えロッド
【図１】
0003119134.tif 000003
【図２】
0003119134.tif 000004
【図３】
0003119134.tif 000005
【図４】
0003119134.tif 000006
【図５】
0003119134.tif 000007
【図６】
0003119134.tif 000008
【図７】
0003119134.tif 000009